(57)【要約】      （修正有）【課題】ユーザーが生体情報の測定中であっても、自身のプリントジョブが終了したことを確実に認識することができ、他のユーザーのジョブの終了通知により生体情報の測定が中断される事態の発生を防止できる画像形成装置等を提供する。【解決手段】画像形成装置１は、プリントジョブを含む複数のジョブを受け付けて実行するジョブ実行手段１２０、１４０と、自装置または外部に備えられ、生体情報の測定を行う測定機４と、ジョブ実行手段によるプリントジョブの実行が終了した際に、測定機による生体情報の測定中のユーザーが存在する場合、実行が終了したプリントジョブのユーザーと、測定機による生体情報の測定中のユーザーが同一かどうかを判断し、ユーザーが同一であると判断された場合に、プリントジョブの実行終了を通知する通知手段１０１を備えている。【選択図】図２
2020031314.tif 000002
【特許請求の範囲】
【請求項１】
プリントジョブを含む複数のジョブを受け付け可能な受付手段と、
前記受付手段により受け付けた複数のジョブを実行するジョブ実行手段と、
自装置または外部に備えられ、生体情報の測定を行う測定機と、
前記ジョブ実行手段によるプリントジョブの実行が終了した際に、前記測定機による生体情報の測定中のユーザーが存在する場合、実行が終了したプリントジョブのユーザーと、前記測定機による生体情報の測定中のユーザーが同一かどうかを判断する判断手段と、
前記判断手段によりユーザーが同一であると判断された場合に、プリントジョブの実行終了を通知する通知手段と、
を備えたことを特徴とする画像形成装置。
【請求項２】
前記測定機は生体情報の測定終了を通知する請求項１に記載の画像形成装置。
【請求項３】
前記通知手段は、自装置または前記測定機の少なくとも一方に備えられた表示手段への表示により、プリントジョブの実行終了を通知する請求項１または２に記載の画像形成装置。
【請求項４】
前記表示手段は前記測定機による生体情報の測定終了をも表示する請求項３に記載の画像形成装置。
【請求項５】
前記判断手段は、プリントジョブの実行中に前記測定機による生体情報の測定中のユーザーが存在する場合、実行中のプリントジョブのユーザーと、前記測定機による生体情報の測定中のユーザーが同一かどうかを判断し、
前記判断手段によりユーザーが同一でないと判断された場合、前記通知手段は、実行中のプリントジョブが前記測定機による生体情報の測定中のユーザーのジョブでないことを通知する請求項１〜４のいずれかに記載の画像形成装置。
【請求項６】
前記判断手段により、実行が終了したプリントジョブのユーザーと、前記測定機による生体情報の測定中のユーザーが同一でないと判断された場合、前記通知手段は、プリントジョブの実行が終了したことを、そのプリントジョブのユーザーの端末装置に通知する請求項１〜５のいずれかに記載の画像形成装置。
【請求項７】
前記測定手段による生体情報の測定中のユーザーの位置を認識する位置認識手段を備え、
前記判断手段により、実行が終了したプリントジョブのユーザーと、前記測定機による生体情報の測定中のユーザーが同一でないと判断された場合、前記通知手段は、前記位置認識手段により認識された生体情報の測定中のユーザーの位置に基づいて、生体情報の測定中のユーザーのいない方向への視覚的または聴覚的方法によりプリントジョブの実行終了を通知する請求項１〜６のいずれかに記載の画像形成装置。
【請求項８】
前記判断手段により、実行が終了したプリントジョブのユーザーと、前記測定機による生体情報の測定中のユーザーが同一でないと判断された場合、前記通知手段は、前記測定機による生体情報の測定中のユーザーの原稿読み取りを伴うプリントジョブが原稿読み取り中であれば、プリントジョブの実行終了を通知する請求項１〜７のいずれかに記載の画像形成装置。
【請求項９】
前記判断手段により、実行が終了したプリントジョブのユーザーと、前記測定機による生体情報の測定中のユーザーが同一でないと判断された場合、前記通知手段は、前記測定機によるユーザーの生体情報の測定が片手測定で行われていれば、プリントジョブの実行終了を通知し、両手測定で行われていれば通知を行わない請求項１〜８のいずれかに記載の画像形成装置。
【請求項１０】
前記測定手段による生体情報の測定中のユーザーの視線を検知する視線検知手段を備え、
前記判断手段により、実行が終了したプリントジョブのユーザーと、前記測定機による生体情報の測定中のユーザーが同一でないと判断された場合、前記視線検知手段により検知された視線が、プリントジョブの実行終了を表示可能な表示手段に向いていなければ、前記通知手段は、前記表示手段にプリントジョブの実行終了を表示して通知し、視線が前記表示手段に向いていればプリントジョブの実行終了を表示しない請求項１〜９のいずれかに記載の画像形成装置。
【請求項１１】
原稿読み取りを伴うプリントジョブの原稿及び／またはプリントジョブで出力された用紙の取り忘れがあった場合、前記測定手段による生体情報の測定中のユーザーが存在するときは、前記通知手段は、測定終了後に原稿及び／または用紙の取り忘れを通知する請求項１〜１０のいずれかに記載の画像形成装置。
【請求項１２】
ファクシミリ装置を備え、
前記測定手段による生体情報の測定中のユーザーが存在する場合、前記ファクシミリ装置の通信音を鳴らさないように設定されている請求項１〜１１のいずれかに記載の画像形成装置。
【請求項１３】
画像形成装置が、
複数のプリントジョブを受け付ける受付ステップと、
前記受付ステップにより受け付けた複数のプリントジョブを連続的に実行するジョブ実行ステップと、
画像形成装置または外部に備えられた測定機により、生体情報の測定を行う測定ステップと、
前記ジョブ実行ステップによる１つのプリントジョブの実行が終了した際に、前記測定機による生体情報の測定中のユーザーが存在する場合、実行が終了したプリントジョブのユーザーと、前記測定機による生体情報の測定中のユーザーが同一かどうかを判断する判断ステップと、
前記判断ステップによりユーザーが同一であると判断された場合に、プリントジョブの実行終了を通知する通知ステップと、
を実行することを特徴とするプリントジョブの終了通知方法。
【請求項１４】
生体情報の測定を行う測定機を備え、または前記測定機が外部に備えられた画像形成装置のコンピュータに、
複数のプリントジョブを受け付ける受付ステップと、
前記受付ステップにより受け付けた複数のプリントジョブを連続的に実行するジョブ実行ステップと、
前記ジョブ実行ステップによる１つのプリントジョブの実行が終了した際に、前記測定機による生体情報の測定中のユーザーが存在する場合、実行が終了したプリントジョブのユーザーと、前記測定機による生体情報の測定中のユーザーが同一かどうかを判断する判断ステップと、
前記判断ステップによりユーザーが同一であると判断された場合に、プリントジョブの実行終了を通知する通知ステップと、
を実行させるためのプログラム。
【発明の詳細な説明】
【技術分野】
【０００１】
この発明は、ユーザーの生体情報の測定を行うことが可能な画像形成装置、同装置で実行されるプリントジョブの終了通知方法及びプログラムに関する。
【背景技術】
【０００２】
昨今、例えば、コピー機能、プリンタ機能、ファクシミリ機能、スキャン機能等の複数の機能を有する多機能デジタル複合機であるＭＦＰ（Multi Function Peripheral）等の画像形成装置に、ストレス診断等のために血圧や心拍等の生体情報の測定を行う測定機を組み込んだものが提案されている（例えば特許文献１、２参照）。また、生体情報の測定は、人体の一部例えば両手を測定機に接触させて行われる場合が多い。
【０００３】
ところで、上記のような画像形成装置にコピージョブを含む複数のプリントジョブが同時的に投入されることがある。画像形成装置は受け付けた複数のプリントジョブを順に実行するが、生産性を確保するため、ジョブとジョブの間の排紙間隔は１つのジョブの連続プリント中と同様に短く設定されている。このため１つのジョブの終了時にブザー音等を鳴らしてユーザーにジョブの終了を通知しているのが通常である。
【先行技術文献】
【特許文献】
【０００４】
【特許文献１】特開２０１８−３０２７６号公報
【特許文献２】特開２０１７−２２８９９６号公報
【発明の概要】
【発明が解決しようとする課題】
【０００５】
しかしながら、生体情報の測定を行う測定機が組み込まれた画像形成装置において、ユーザーが測定機による生体情報等の測定中に、プリントジョブの終了が通知されたとしても、両手を塞がれたユーザーは終了したプリントジョブが自身のものかどうかを排紙された用紙により確認することができないとか、確認のため測定機から手を離すと測定が中断してしまう、という課題がある。
【０００６】
また、生体情報の測定は中断されたとしても、自身のプリントジョブが終了次第、出力物を持って立ち去りたいユーザーは、他のユーザーのジョブ終了通知を自身のジョブ終了通知と勘違いして測定を中断すると、無駄な待ち時間が発生してしまうという課題もある。
【０００７】
この発明は、このような課題を解決するためになされたものであって、ユーザーが生体情報の測定中であっても、自身のプリントジョブが終了したことを確実に認識することができ、他のユーザーのジョブの終了通知により生体情報の測定が中断される事態の発生を防止できる画像形成装置、同装置で実行されるプリントジョブの終了通知方法及びプログラムを提供することを目的とする。
【課題を解決するための手段】
【０００８】
上記目的は、以下の手段によって達成される。
（１）プリントジョブを含む複数のジョブを受け付け可能な受付手段と、前記受付手段により受け付けた複数のジョブを実行するジョブ実行手段と、自装置または外部に備えられ、生体情報の測定を行う測定機と、前記ジョブ実行手段によるプリントジョブの実行が終了した際に、前記測定機による生体情報の測定中のユーザーが存在する場合、実行が終了したプリントジョブのユーザーと、前記測定機による生体情報の測定中のユーザーが同一かどうかを判断する判断手段と、前記判断手段によりユーザーが同一であると判断された場合に、プリントジョブの実行終了を通知する通知手段と、を備えたことを特徴とする画像形成装置。
（２）前記測定機は生体情報の測定終了を通知する前項１に記載の画像形成装置。
（３）前記通知手段は、自装置または前記測定機の少なくとも一方に備えられた表示手段への表示により、プリントジョブの実行終了を通知する前項１または２に記載の画像形成装置。
（４）前記表示手段は前記測定機による生体情報の測定終了をも表示する前項３に記載の画像形成装置。
（５）前記判断手段は、プリントジョブの実行中に前記測定機による生体情報の測定中のユーザーが存在する場合、実行中のプリントジョブのユーザーと、前記測定機による生体情報の測定中のユーザーが同一かどうかを判断し、前記判断手段によりユーザーが同一でないと判断された場合、前記通知手段は、実行中のプリントジョブが前記測定機による生体情報の測定中のユーザーのジョブでないことを通知する前項１〜４のいずれかに記載の画像形成装置。
（６）前記判断手段により、実行が終了したプリントジョブのユーザーと、前記測定機による生体情報の測定中のユーザーが同一でないと判断された場合、前記通知手段は、プリントジョブの実行が終了したことを、そのプリントジョブのユーザーの端末装置に通知する前項１〜５のいずれかに記載の画像形成装置。
（７）前記測定手段による生体情報の測定中のユーザーの位置を認識する位置認識手段を備え、前記判断手段により、実行が終了したプリントジョブのユーザーと、前記測定機による生体情報の測定中のユーザーが同一でないと判断された場合、前記通知手段は、前記位置認識手段により認識された生体情報の測定中のユーザーの位置に基づいて、生体情報の測定中のユーザーのいない方向への視覚的または聴覚的方法によりプリントジョブの実行終了を通知する前項１〜６のいずれかに記載の画像形成装置。
（８）前記判断手段により、実行が終了したプリントジョブのユーザーと、前記測定機による生体情報の測定中のユーザーが同一でないと判断された場合、前記通知手段は、前記測定機による生体情報の測定中のユーザーの原稿読み取りを伴うプリントジョブが原稿読み取り中であれば、プリントジョブの実行終了を通知する前項１〜７のいずれかに記載の画像形成装置。
（９）前記判断手段により、実行が終了したプリントジョブのユーザーと、前記測定機による生体情報の測定中のユーザーが同一でないと判断された場合、前記通知手段は、前記測定機によるユーザーの生体情報の測定が片手測定で行われていれば、プリントジョブの実行終了を通知し、両手測定で行われていれば通知を行わない前項１〜８のいずれかに記載の画像形成装置。
（１０）前記測定手段による生体情報の測定中のユーザーの視線を検知する視線検知手段を備え、前記判断手段により、実行が終了したプリントジョブのユーザーと、前記測定機による生体情報の測定中のユーザーが同一でないと判断された場合、前記視線検知手段により検知された視線が、プリントジョブの実行終了を表示可能な表示手段に向いていなければ、前記通知手段は、前記表示手段にプリントジョブの実行終了を表示して通知し、視線が前記表示手段に向いていればプリントジョブの実行終了を表示しない前項１〜９のいずれかに記載の画像形成装置。
（１１）原稿読み取りを伴うプリントジョブの原稿及び／またはプリントジョブで出力された用紙の取り忘れがあった場合、前記測定手段による生体情報の測定中のユーザーが存在するときは、前記通知手段は、測定終了後に原稿及び／または用紙の取り忘れを通知する前項１〜１０のいずれかに記載の画像形成装置。
（１２）ファクシミリ装置を備え、前記測定手段による生体情報の測定中のユーザーが存在する場合、前記ファクシミリ装置の通信音を鳴らさないように設定されている前項１〜１１のいずれかに記載の画像形成装置。
（１３）画像形成装置が、複数のプリントジョブを受け付ける受付ステップと、前記受付ステップにより受け付けた複数のプリントジョブを連続的に実行するジョブ実行ステップと、画像形成装置または外部に備えられた測定機により、生体情報の測定を行う測定ステップと、前記ジョブ実行ステップによる１つのプリントジョブの実行が終了した際に、前記測定機による生体情報の測定中のユーザーが存在する場合、実行が終了したプリントジョブのユーザーと、前記測定機による生体情報の測定中のユーザーが同一かどうかを判断する判断ステップと、前記判断ステップによりユーザーが同一であると判断された場合に、プリントジョブの実行終了を通知する通知ステップと、を実行することを特徴とするプリントジョブの終了通知方法。
（１４）生体情報の測定を行う測定機を備え、または前記測定機が外部に備えられた画像形成装置のコンピュータに、複数のプリントジョブを受け付ける受付ステップと、前記受付ステップにより受け付けた複数のプリントジョブを連続的に実行するジョブ実行ステップと、前記ジョブ実行ステップによる１つのプリントジョブの実行が終了した際に、前記測定機による生体情報の測定中のユーザーが存在する場合、実行が終了したプリントジョブのユーザーと、前記測定機による生体情報の測定中のユーザーが同一かどうかを判断する判断ステップと、前記判断ステップによりユーザーが同一であると判断された場合に、プリントジョブの実行終了を通知する通知ステップと、を実行させるためのプログラム。
【発明の効果】
【０００９】
前項（１）に記載の発明によれば、画像形成装置は、プリントジョブを含む複数のジョブを受け付けるとともに、受け付けた複数のジョブを順に実行する。画像形成装置または外部に備えられた測定機により、生体情報の測定が可能であるが、１つのプリントジョブの実行が終了した際に、生体情報の測定中のユーザーが存在する場合、実行が終了したプリントジョブのユーザーと、生体情報の測定中のユーザーが同一かどうかが判断され、ユーザーが同一であると判断された場合に、プリントジョブの実行終了が通知される。
【００１０】
従って、測定機による生体情報の測定中のユーザーは、自身のプリントジョブが終了したことを容易かつ確実に認識することができるから、他のユーザーのプリントジョブの終了を自身のプリントジョブの終了と勘違いして、測定中のユーザーが手を離してしまうこと等により測定を中断してしまう事態の発生を防止できる。
【００１１】
前項（２）に記載の発明によれば、測定機からの通知によりユーザーは生体情報の測定が終了したことを認識することができる。
【００１２】
前項（３）に記載の発明によれば、画像形成装置または測定機の少なくとも一方に備えられた表示手段の表示により、生体情報の測定中のユーザーは、自身のプリントジョブが終了したことを認識することができる。
【００１３】
前項（４）に記載の発明によれば、表示手段の表示により、ユーザーは生体情報の測定終了を認識できる。
【００１４】
前項（５）に記載の発明によれば、実行中のプリントジョブのユーザーと、測定機による生体情報の測定中のユーザーが同一でない場合、実行中のプリントジョブが生体情報の測定中のユーザーのジョブでないことが通知されるから、生体情報の測定中のユーザーは、自身のプリントジョブの実行中でないことを容易に認識することができる。
【００１５】
前項（６）に記載の発明によれば、実行が終了したプリントジョブのユーザーと、測定機による生体情報の測定中のユーザーが同一でないと判断された場合、プリントジョブの実行が終了したことが、そのプリントジョブのユーザーの端末装置に通知されるから、プリントジョブの実行を指示したユーザーは、自身のプリントジョブの実行が終了したことを容易に認識することができる。
【００１６】
前項（７）に記載の発明によれば、実行が終了したプリントジョブのユーザーと、測定機による生体情報の測定中のユーザーが同一でないと判断された場合、生体情報の測定中のユーザーの位置に基づいて、生体情報の測定中のユーザーのいない方向への視覚的または聴覚的方法によりプリントジョブの実行終了が通知されるから、生体情報の測定中のユーザーが自身のプリントジョブの終了と勘違いして、測定中のユーザーが手を離してしまうこと等により生体情報の測定を中断してしまう事態の発生を防止しつつ、実行が終了したプリントジョブのユーザーに実行終了を知らせることができる。
【００１７】
前項（８）に記載の発明によれば、実行が終了したプリントジョブのユーザーと、測定機による生体情報の測定中のユーザーが同一でないと判断された場合、生体情報の測定中のユーザーの原稿読み取りを伴うプリントジョブが原稿読み取り中であれば、他のユーザーのプリントジョブの実行終了が通知されても、生体情報の測定中のユーザーは自身のプリントジョブが終了したと勘違いすることはないので、プリントジョブの実行終了の通知を行うことで、他のユーザーにプリントジョブが終了したことを知らせることができる。
【００１８】
前項（９）に記載の発明によれば、実行が終了したプリントジョブのユーザーと、測定機による生体情報の測定中のユーザーが同一でないと判断された場合、測定機によるユーザーの生体情報の測定が片手測定で行われていれば、一方の片手で排紙された用紙を確認して自身のプリントジョブの実行終了かどうかを確認できるから、プリントジョブの実行終了の通知が行われ、両手測定で行われていれば確認できないから、通知は行われない。
【００１９】
前項（１０）に記載の発明によれば、実行が終了したプリントジョブのユーザーと、測定機による生体情報の測定中のユーザーが同一でないと判断された場合、視線検知手段により検知された視線が、プリントジョブの実行終了を表示可能な表示手段に向いていなければ、表示手段にプリントジョブの実行終了が表示され、視線が表示手段に向いていればプリントジョブの実行終了は表示されないから、他のユーザーのプリントジョブの終了を自身のプリントジョブの終了と勘違いして、測定を中断してしまう事態の発生を防止できる。
【００２０】
前項（１１）に記載の発明によれば、原稿読み取りを伴うプリントジョブの原稿及び／またはプリントジョブで出力された用紙の取り忘れがあった場合、生体情報の測定中のユーザーが存在するときは、測定終了後に、原稿及び／または用紙の取り忘れが通知されるから、生体情報の測定途中に原稿や用紙の取り忘れが通知されて、測定中のユーザーが手を離してしまうことによる測定の中断を防止できる。
【００２１】
前項（１２）に記載の発明によれば、生体情報の測定中のユーザーが存在する場合、ファクシミリ装置の通信音を鳴らさないように設定されているから、生体情報の測定途中にファクシミリ装置の通信音によって、生体情報の測定中のユーザーが手を離してしまうことによる測定の中断を防止できる。
【００２２】
前項（１３）に記載の発明によれば、測定機による生体情報の測定中のユーザーは、自身のプリントジョブが終了したことを容易かつ確実に認識することができるから、他のユーザーのプリントジョブの終了を自身のプリントジョブの終了と勘違いして、測定中のユーザーが手を離してしまうことにより測定を中断してしまう事態の発生を抑制できる。
【００２３】
前項（１４）に記載の発明によれば、測定機による生体情報の測定中のユーザーが、自身のプリントジョブが終了したことを容易かつ確実に認識することができる処理を、画像形成装置のコンピュータに実行させることができる。
【図面の簡単な説明】
【００２４】
【図１】この発明の一実施形態に係る画像形成装置の正面図である。
【図２】画像形成装置の電気的な構成を示すブロック図である。
【図３】画像形成装置の全体動作を示すフローチャートである。
【図４】図３におけるステップＳ４のジョブ中ユーザー通知処理の内容を示すフローチャートである。
【図５】図３におけるステップＳ５のジョブ終了時ユーザー通知処理の内容を示すフローチャートである。
【図６】図５のフローチャートにおけるステップＳ５０８のユーザー位置確認処理の内容を示すフローチャートである。
【図７】図３におけるステップＳ５のジョブ終了時ユーザー通知処理の別の例を示すフローチャートである。
【図８】図３におけるステップＳ５のジョブ終了時ユーザー通知処理のさらに別の例を示すフローチャートである。
【図９】図３におけるステップＳ５のジョブ終了時ユーザー通知処理のさらに別の例を示すフローチャートである。
【図１０】図３のフローチャートにおけるステップＳ６の取り忘れ通知処理の内容を示すフローチャートである。
【図１１】図３のフローチャートにおけるステップＳ７のＦＡＸ音処理の内容を示すフローチャートである。
【発明を実施するための形態】
【００２５】
以下、この発明の実施形態を図面に基づいて説明する。なお、この明細書において、「プリントジョブ」の語は、パーソナルコンピュータ等の外部装置から送信されたプリントデータを印字するＰＣプリントジョブのみならず、画像読取装置（スキャナ）により読み取った原稿の画像を印字するコピージョブ、ボックスと称される記憶領域に保存されたデータを読み出して印字するジョブ等、印字対象データを用紙等の記録媒体に印字するジョブの全てを含む意味で用いられる。
【００２６】
図１は、この発明の一実施形態に係る画像形成装置１の正面図である。この実施形態では、画像形成装置１として、コピー機能、プリンタ機能、ファクシミリ機能、スキャン機能等の機能を備えた多機能デジタル複合機である前述したＭＦＰが用いられている。以下、画像形成装置をＭＦＰともいう。
【００２７】
ＭＦＰ１は、ＭＦＰ本体２を備えると共に、ＭＦＰ本体２は、印字された記録媒体を排紙する排紙部２１と、原稿をセットするための原稿載置部２２等を備えている。
【００２８】
また、ＭＦＰ本体１の側面部には水平状の台３が突設されると共に、台３上には生体情報測定機４が載置されている。生体情報測定機４はＭＦＰ本体２とは別体で構成されたものであり、生体情報を検出するための検出器４１を備えている。検出器４１は、ユーザーが例えば検出器４１の両側の把持部４１ａ、４１ｂをそれぞれ片方の手で把持することにより、ユーザーの生体情報である脈拍や血圧等を検出するものである。検出器４１により検出されたユーザーの生体情報は、ブルートゥース（登録商標）等の短距離無線通信により生体情報測定機４に送信され、生体情報測定機４で測定管理され、必要に応じてストレス度等を計測するようになっている。
【００２９】
なお、検出器４１による生体情報の検出測定を、検出器４１の両側の把持部４１ａ、４１ｂをそれぞれ片方の手で把持する両手測定により行うものとしたが、片手のみで把持する片手測定によって行う構成であっても良い。また、生体情報測定機４をＭＦＰ本体２とは別体で構成したが、生体情報測定機４をＭＦＰ本体２に一体的に組み込んで構成しても良い。
【００３０】
図２はＭＦＰ１の電気的な構成を示すブロック図である。
【００３１】
図２に示すように、ＭＦＰ１は、制御部１００、記憶装置１１０、画像読取装置１２０、操作パネル１３０、画像出力装置１４０、プリンタコントローラ１５０、ネットワークインターフェイス（ネットワークＩ/Ｆ）１６０、無線通信インターフェース（無線通信Ｉ/Ｆ）１７０、認証部１８０及びファクシミリ（以下、ＦＡＸともいう）装置１９０等を備え、互いにシステムバス１７５を介して接続されている。
【００３２】
制御部１００は、ＣＰＵ（Central Processing Unit）１０１、ＲＯＭ（Read Only Memory）１０２、Ｓ−ＲＡＭ（Static Random Access Memory）１０３、ＮＶ−ＲＡＭ（Non Volatile RAM）１０４及び時計ＩＣ１０５等を備えている。
【００３３】
ＣＰＵ１０１は、ＲＯＭ１０２等に保存されている動作プログラムを実行することにより、ＭＦＰ１の全体を統括的に制御する。例えばコピー機能、プリンタ機能、スキャン機能、ファクシミリ機能等を実行可能に制御する。更にこの実施形態では、プリントジョブの実行中または実行が終了した際に、生体情報測定機４による生体情報の測定中のユーザーが存在する場合、実行中のプリントジョブまたは実行が終了したプリントジョブのユーザーと、生体情報測定機４による生体情報の測定中のユーザーが同一かどうかを判断したり、判断結果に応じて、所定の通知を行う等の処理を行うが、詳細は後述する。
【００３４】
ＲＯＭ１０２は、ＣＰＵ１０１が実行するプログラムやその他のデータを格納する。
【００３５】
Ｓ−ＲＡＭ１０３は、ＣＰＵ１０１がプログラムを実行する際の作業領域となるものであり、プログラムやプログラムを実行する際のデータ等を一時的に保存する。
【００３６】
ＮＶ−ＲＡＭ１０４は、バッテリでバックアップされた不揮発メモリであり、画像形成に係わる各種の設定等を記憶するものである。
【００３７】
時計ＩＣ１０５は、時刻を計時すると共に、内部タイマーとして機能し処理時間の計測等を行う。
【００３８】
記憶装置１１０は、ハードディスク等からなり、プログラムや各種データを保存する。
【００３９】
画像読取装置１２０は、スキャナ等を備え、ラテンガラス上あるいは原稿載置部２２にセットされた原稿を走査することによって読み取り、読み取った原稿を画像データに変換する。
【００４０】
操作パネル１３０は、ユーザーがＭＦＰ１へジョブ等の指示や各種設定を行う際に用いられるものであり、リセットキー１３１、スタートキー１３２、ストップキー１３３、表示部１３４及びタッチパネル１３５等を備えている。
【００４１】
リセットキー１３１は、設定をリセットする際に使用されるものであり、スタートキー１３２はスキャン等の開始操作に使用されるものであり、ストップキー１３３は動作を中断する場合等に押下されるものである。
【００４２】
表示部１３４は、例えば液晶表示装置からなりメッセージや各種の操作画面等を表示するものであり、タッチパネル１３５は表示部１３４の画面上に形成され、ユーザーのタッチ操作を検出する。
【００４３】
画像出力装置１４０は、画像読取装置１２０で読み取られた原稿の画像データや、端末装置３から送信されたプリントデータから生成された複写画像を用紙等の記録媒体上に印字し印刷物として出力するものである。画像読取装置１２０及び画像出力装置１４０等によりジョブ実行手段が形成される。
【００４４】
プリンタコントローラ１５０は、ネットワークインターフェース１６０によって受信されたプリントデータから複写画像を生成するものである。
【００４５】
ネットワークＩ／Ｆ１６０は、サーバーや端末装置等の外部装置との間でネットワーク５を介してデータの送受信を行う通信手段として機能する。
【００４６】
無線通信インターフェース部１７０は、検出器４１と生体情報測定機４との間で行われる短距離無線通信を、検出器４１とＭＦＰ１との間でも行い、これによって検出器４１の位置、つまり検出器４１を把持するユーザーの位置を検出できるようになっている。なお、ユーザーの位置の検出は、ＭＦＰ１の周囲に設けた１個または複数個の近接センサや人体検知センサ等によって行われても良い。
【００４７】
認証部１８０はログインするユーザーの認証用情報を取得し、この認証用情報を予め記憶装置１１０等に保存されている照合用の情報と比較照合して認証を行うことで、ユーザーを特定するものである。なお、ユーザーの認証用情報と照合用の情報との比較照合は、外部の認証サーバーにより行い、認証部１８０が認証サーバーから認証結果を受信することにより認証が行われても良い。
【００４８】
ＦＡＸ装置１９０はＦＡＸ送受信部として機能する。
【００４９】
生体情報測定機４は液晶パネル等からなる表示部４２を備えており、生体情報測定機４による生体情報の測定結果や、測定終了等を表示部４２に表示できるようになっている。また、生体情報測定機４はシステムバス１７５を介してＭＦＰ１の制御部１００とも通信可能に接続されており、制御部１００のＣＰＵ１０１は、生体情報測定を行っているユーザーの管理、生体情報の予測実行時間の登録、管理等を行い、また生体情報測定機４の表示部４２に所定のメッセージ等を表示させる等の生体情報測定機４の制御を行えるようになっている。
【００５０】
次に、図１に示したＭＦＰ１の動作を図３以降のフローチャートを参照して説明する。図３以降のフローチャートに示される動作は、ＭＦＰ１のＣＰＵ１０１がＲＯＭ１０２等の記録媒体に格納された動作プログラムに従って動作することにより実行される。
【００５１】
図３は全体動作を示すフローチャートである。ステップＳ１でＭＦＰジョブ管理処理を実行する。ＭＦＰジョブ管理処理は、コピージョブ、スキャンジョブ（読み取った原稿の画像を所定宛先に送信するジョブ）、ＦＡＸ送受信ジョブ、ＰＣプリントジョブ、ボックスから読み出したデータを印字するジョブ、画像読取装置１２０で読み取った原稿の画像データをボックスに保存するジョブ等の各種のジョブを受け付けて、ジョブを指示したユーザーを特定するための識別情報であるユーザーＩＤ、ジョブを特定するためのジョブＩＤ、予測実行時間のそれぞれ登録・管理を行う処理である。なお、ユーザーＩＤは、ＰＣプリントジョブの場合は、ジョブの実行を指示した外部装置側で付加され、ＭＦＰ１により生成されたジョブについては、ジョブの受け付け時に認証部１８０で認証されたログインユーザーに対応するユーザーＩＤが付加される。
【００５２】
ステップＳ２ではＭＦＰジョブ実行処理を実行する。ＭＦＰジョブ実行処理は、ＭＦＰジョブ管理処理で登録された複数のジョブを登録順に実行する処理である。
【００５３】
ステップＳ３では生体情報測定処理を行う。生体情報測定処理は、生体情報が測定されるユーザーを示すユーザーＩＤ、ジョブＩＤ、予測実行時間の登録・管理を行うと共に、生体情報の測定を実行する処理である。生体情報の測定は、ログインしているユーザーが行うものと考えられるため、ユーザーＩＤ、ジョブＩＤはログインユーザーのユーザーＩＤ、そのユーザーが作成し実行を指示したジョブがあればそのジョブＩＤを用いれば良い。また、ＰＣプリントジョブ等のユーザーが生体情報の測定を行う場合は、別途認証処理を行ってユーザーＩＤを付与すれば良い。
【００５４】
ステップＳ４ではジョブ中ユーザー通知処理を、ステップＳ５ではジョブ終了時ユーザー通知処理を、ステップＳ６では取り忘れ通知処理を、ステップＳ７ではＦＡＸ音処理を、それぞれ実行するが、これらの各処理については後述する。
【００５５】
図４は、図３におけるステップＳ４のジョブ中ユーザー通知処理の内容を示すフローチャートである。
【００５６】
ステップＳ４１ではプリントジョブの実行中かどうかを調べる。実行中でなければ（ステップＳ４１でＮＯ）、図４のフローチャートにリターンしてステップＳ５に進む。実行中であれば（ステップＳ４１でＹＥＳ）、ステップＳ４２で、実行中ジョブのユーザーＩＤつまり実行中ジョブの実行を指示したユーザーを特定するためのユーザーＩＤを取得する。
【００５７】
次いでステップＳ４３で、生体情報測定中のユーザーのユーザーＩＤを取得したのち、ステップＳ４４で、実行中ジョブのユーザーＩＤと生体情報測定中のユーザーのユーザーＩＤが一致するかどうか、換言すれば実行中のプリントジョブのユーザーと生体情報の測定中のユーザーが同一かどうか、を判断する。
【００５８】
一致すれば（ステップＳ４４でＹＥＳ）、ステップＳ４５で、測定中ユーザーのジョブを実行中であることを通知する。ユーザーＩＤが一致しなければ（ステップＳ４４でＮＯ）、ステップＳ４６で、測定中ユーザーのジョブを実行中ではないことを通知する。通知は、ＭＦＰ１または生体情報測定機の少なくとも一方により行い、ＭＦＰ１の表示部１３４または生体情報測定機４の表示部４２へのメッセージの表示により行っても良い。あるいはＬＥＤ等のインジケータや音声等によって行ってもよい。
【００５９】
このように、この実施形態では、実行中のプリントジョブのユーザーと、生体情報の測定中のユーザーが同一でない場合、実行中のプリントジョブが生体情報の測定中のユーザーのジョブでないことが通知されるから、生体情報の測定中のユーザーは、自身のプリントジョブの実行中でないことを容易に認識することができる。
【００６０】
図５は、図３におけるステップＳ５のジョブ終了時ユーザー通知処理の内容を示すフローチャートである。
【００６１】
ステップＳ５０１ではプリントジョブが終了したかどうかを調べる。終了しなければ（ステップＳ５０１でＮＯ）、ステップＳ５０９に進む。終了した場合（ステップＳ５０１でＹＥＳ）、ステップＳ５０２で終了ジョブのユーザーＩＤを取得したのち、ステップＳ５０３で生体情報測定中のユーザーのユーザーＩＤを取得し、ステップＳ５０４で、終了ジョブのユーザーＩＤと生体情報測定中のユーザーのユーザーＩＤが一致するかどうかを判断する。
【００６２】
一致すれば（ステップＳ５０４でＹＥＳ）、ステップＳ５０５で、ジョブの実行終了を通知したのち、ステップＳ５０６で、ユーザーが指定した携帯端末等の端末装置へジョブ終了を通知することなく、ステップＳ５０９に進む。ジョブの実行終了の通知はＭＦＰ１，生体情報測定機４のいずれによって行われても良い。
【００６３】
ステップＳ５０４でユーザーＩＤが一致しなければ（ステップＳ５０４でＮＯ）、ステップＳ５０７で、終了ジョブのユーザーにより指定された端末装置へジョブ終了を通知した後、ステップＳ５０８でユーザー位置確認処理を実施して、ステップＳ５０９に進む。ユーザー位置確認処理については後述する。
【００６４】
ステップＳ５０９では生体情報の測定が終了したかどうかを調べ、測定が終了すると（ステップＳ５０９でＹＥＳ）、ステップＳ５１０で生体情報測定機４の表示部４２への表示により測定終了を通知したのちリターンする。測定終了の通知はＭＦＰ１の表示部１３４への表示により行われても良い。ステップＳ５０９で測定が終了しなければ（ステップＳ５０９でＮＯ）、リターンする。
【００６５】
このようにこの実施形態では、実行が終了したプリントジョブのユーザーと、生体情報の測定中のユーザーが同一かどうかが判断され、ユーザーが同一であると判断された場合に、プリントジョブの実行終了が通知されるから、生体情報の測定中のユーザーは、自身のプリントジョブが終了したことを容易かつ確実に認識することができる。このため、他のユーザーのプリントジョブの終了を自身のプリントジョブの終了と勘違いして、生体情報測定中のユーザーが検出器４１から手を離してしまうこと等により測定を中断してしまう事態の発生を防止できる。
【００６６】
図６は、図５のフローチャートにおけるステップＳ５０８のユーザー位置確認処理の内容を示すフローチャートである。
【００６７】
ステップＳ５０８１で、生体情報測定中のユーザーの位置を確認する。位置確認の結果、ユーザーがＭＦＰ１の手前に居る場合、ステップＳ５０８２に進み、ＭＦＰ１の奥側のＬＥＤを表示してジョブ終了を知らせ、ステップＳ５０８３で、パトランプをＭＦＰ１の奥側に向けて点灯してジョブ終了を知らせ、ステップＳ５０８４で、指向性スピーカーでＭＦＰ１の奥側に向けてジョブ終了を報知したのち、リターンする。ＬＥＤの表示、パトランプの点灯、指向性スピーカーによる報知のいずれか一つのみあるいは二つのみを実行しても良い。
【００６８】
ユーザーがＭＦＰ１の左側に居る場合、ステップＳ５０８５に進み、ＭＦＰ１の右側のＬＥＤを表示してジョブ終了を知らせ、ステップＳ５０８６で、パトランプをＭＦＰ１の右側に向けて点灯してジョブ終了を知らせ、ステップＳ５０８７で、指向性スピーカーでＭＦＰ１の右側に向けてジョブ終了を報知したのち、リターンする。
【００６９】
ユーザーがＭＦＰ１の右側に居る場合、ステップＳ５０８８に進み、ＭＦＰ１の左側のＬＥＤを表示してジョブ終了を知らせ、ステップＳ５０８９で、パトランプをＭＦＰ１の左側に向けて点灯してジョブ終了を知らせ、ステップＳ５０９０で、指向性スピーカーでＭＦＰ１の左側に向けてジョブ終了を報知したのち、リターンする。
【００７０】
ユーザーがＭＦＰ１の奥に居る場合、ステップＳ５０９１に進み、ＭＦＰ１の手前側のＬＥＤを表示してジョブ終了を知らせ、ステップＳ５０９２で、パトランプをＭＦＰ１の手前側に向けて点灯してジョブ終了を知らせ、ステップＳ５０９３で、指向性スピーカーでＭＦＰ１の手前側に向けてジョブ終了を報知したのち、リターンする。
【００７１】
このように、生体情報の測定中のユーザーと実行が終了したプリントジョブのユーザーが同一でないと判断された場合、生体情報の測定中のユーザーの位置に基づいて、生体情報の測定中のユーザーのいない方向へのＬＥＤの表示やパトランプの点灯による視覚的方法、または指向性スピーカーでの報知による聴覚的方法によりプリントジョブの実行終了が通知されるから、生体情報の測定中のユーザーが他人のプリントジョブの終了通知を自身のプリントジョブの終了通知と勘違いして、検出器４１から手を離すことにより生体情報の測定を中断してしまう事態の発生を防止しつつ、実行が終了したプリントジョブのユーザーに実行終了を知らせることができる。
【００７２】
図７は、図３におけるステップＳ５のジョブ終了時ユーザー通知処理の別の例を示すフローチャートである。この例では、終了したプリントジョブのユーザーと生体情報の測定中のユーザーが同一でなくても、生体情報の測定中のユーザーの原稿読み取りを伴うプリントジョブ（コピージョブ）が画像読取装置１２０による原稿の読み取り中である場合は、プリントジョブの終了を通知するようになっている。
【００７３】
ステップＳ５２１ではプリントジョブが終了したかどうかを調べる。終了しなければ（ステップＳ５２１でＮＯ）、リターンする。終了した場合（ステップＳ５２１でＹＥＳ）、ステップＳ５２２で、終了ジョブのユーザーＩＤを取得し、ステップＳ５２３で、原稿読み取り中のプリントジョブ（スキャン中ジョブと記している）のユーザーＩＤを取得したのち、ステップＳ５２４で生体情報測定中のユーザーのユーザーＩＤを取得する。
【００７４】
次いで、ステップＳ５２５で、終了したプリントジョブのユーザーＩＤと生体情報測定中のユーザーのユーザーＩＤが一致するかどうか、つまり終了ジョブは生体情報測定中のユーザーのプリントジョブかどうかを判断する。
【００７５】
測定中ユーザーのプリントジョブであれば（ステップＳ５２５でＹＥＳ）、ステップＳ５２６で、ＭＦＰ１または生体情報測定機４によりプリントジョブの実行終了を通知したのち、リターンする。測定中ユーザーのプリントジョブでなければ（ステップＳ５２５でＮＯ）、ステップＳ５２７で、スキャン中ジョブは生体情報測定中のユーザーのジョブかどうかを、スキャン中ジョブのユーザーＩＤと生体情報測定中のユーザーのユーザーＩＤが一致するかどうかにより判断する。スキャン中ジョブが生体情報測定中のユーザーのジョブであれば（ステップＳ５２７でＹＥＳ）、ステップＳ５２６でプリントジョブの実行終了を通知したのち、リターンする。スキャン中ジョブが生体情報測定中のユーザーのジョブでなければ（ステップＳ５２７でＮＯ）、ステップＳ５２８でプリントジョブの終了を通知せず、リターンする。
【００７６】
このように、終了したプリントジョブのユーザーと生体情報の測定中のユーザーとが同一でないと判断された場合、生体情報の測定中のユーザーのプリントジョブが原稿読み取り中であれば、他のユーザーのプリントジョブの実行終了が通知されても、生体情報の測定中のユーザーは自身のプリントジョブが終了したと勘違いすることはない。このため、プリントジョブの終了通知を行うことで他のユーザーにプリントジョブが終了したことを知らせることができる。
【００７７】
図８は、図３におけるステップＳ５のジョブ終了時ユーザー通知処理のさらに別の例を示すフローチャートである。この例では、終了したプリントジョブのユーザーと生体情報の測定中のユーザーが同一でなくても、生体情報の測定が片手測定の場合には、プリントジョブの終了を通知するようになっている。
【００７８】
ステップＳ５３１ではプリントジョブが終了したかどうかを調べる。終了しなければ（ステップＳ５３１でＮＯ）、リターンする。終了した場合（ステップＳ５３１でＹＥＳ）、ステップＳ５３２で、終了ジョブのユーザーＩＤを取得したのち、ステップＳ５３３で生体情報測定中のユーザーのユーザーＩＤを取得する。
【００７９】
次いで、ステップＳ５３４で、終了したプリントジョブのユーザーＩＤと生体情報測定中のユーザーのユーザーＩＤが一致するかどうか、つまり終了ジョブは生体情報測定中のユーザーのプリントジョブかどうかを判断する。
【００８０】
測定中ユーザーのプリントジョブであれば（ステップＳ５３４でＹＥＳ）、ステップＳ５３５で、ＭＦＰ１または生体情報測定機４によりプリントジョブの実行終了を通知したのち、リターンする。測定中ユーザーのプリントジョブでなければ（ステップＳ５３４でＮＯ）、ステップＳ５３６で、生体情報の測定は片手測定かどうかを判断する。片手測定であれば（ステップＳ５３６でＹＥＳ）、一方の片手により排紙された用紙を確認して自身のプリントジョブが終了したかどうかを確認できるから、ステップＳ５３５でプリントジョブの実行終了を通知したのち、リターンする。片手測定でなければ（ステップＳ５３６でＮＯ）、ステップＳ５３７でプリントジョブの終了を通知せず、リターンする。
【００８１】
このように、終了したプリントジョブのユーザーと生体情報の測定中のユーザーとが同一でないと判断された場合、生体情報の測定が片手測定であれば、測定中のユーザーは排紙された用紙の確認により自身のプリントジョブが終了したかどうかを確認できるから、通知を行っても生体情報測定中のユーザーが検出器４１から手を離して測定が中断されてしまうといった不都合を回避しつつ、他のユーザーにプリントジョブが終了したことを知らせることができる。
【００８２】
図９は、図３におけるステップＳ５のジョブ終了時ユーザー通知処理のさらに別の例を示すフローチャートである。この例では、終了したプリントジョブのユーザーと生体情報の測定中のユーザーが同一でなくても、生体情報の測定中のユーザーが操作パネル１３０の表示部１３４を見ていなければ、プリントジョブの終了を表示部１３４に表示して通知するようになっている。
【００８３】
ステップＳ５４１ではプリントジョブが終了したかどうかを調べる。終了しなければ（ステップＳ５４１でＮＯ）、リターンする。終了した場合（ステップＳ５４１でＹＥＳ）、ステップＳ５４２で、終了ジョブのユーザーＩＤを取得したのち、ステップＳ５４３で生体情報測定中のユーザーのユーザーＩＤを取得する。
【００８４】
次いで、ステップＳ５４４で、終了したプリントジョブのユーザーＩＤと生体情報測定中のユーザーのユーザーＩＤが一致するかどうか、つまり終了ジョブは生体情報測定中のユーザーのプリントジョブかどうかを判断する。
【００８５】
測定中ユーザーのプリントジョブであれば（ステップＳ５４４でＹＥＳ）、ステップＳ５４５で、ＭＦＰ１または生体情報測定機４によりプリントジョブの実行終了を通知したのち、リターンする。測定中ユーザーのプリントジョブでなければ（ステップＳ５４４でＮＯ）、ステップＳ５４６で、生体情報の測定中のユーザーが操作パネル１３０の表示部１３４を見ていないかどうかを判断する。ユーザーが操作パネル１３０の表示部１３４を見ていないかどうかは、カメラ等の視線検知装置によりユーザーの視線を調べて判断しても良いし、ユーザーの位置確認により、操作パネル１３０の表示部１３４を視認可能な位置にユーザーがいるかどうかを調べることにより判断しても良い。
【００８６】
生体情報の測定中のユーザーが操作パネル１３０の表示部１３４を見ていなければ（ステップＳ５４６でＹＥＳ）、ステップＳ５４５でプリントジョブの実行終了を表示部１３４に表示して通知したのち、リターンする。操作パネル１３０の表示部１３４を見ていれば（ステップＳ５４６でＮＯ）、ステップＳ５４７でプリントジョブの終了を通知せず、リターンする。
【００８７】
このように、終了したプリントジョブのユーザーと生体情報の測定中のユーザーとが同一でないと判断された場合、ユーザーの視線が、プリントジョブの実行終了を表示可能な表示部１３４に向いていなければ、他のユーザーのプリントジョブの実行終了が通知されても、生体情報の測定中のユーザーは自身のプリントジョブが終了したと勘違いすることはないので、表示部１３４を介して通知を行うことで、他のユーザーにプリントジョブが終了したことを通知することができる。
【００８８】
図１０は、図３のフローチャートにおけるステップＳ６の取り忘れ通知処理の内容を示すフローチャートである。取り忘れ通知処理は、読取後の原稿や排紙された用紙の取り忘れがあった場合の通知処理である。
【００８９】
ステップＳ６１では排紙された用紙または読み取られた原稿の取り忘れが有るかどうかを調べ、取り忘れがなければ（ステップＳ６１でＮＯ）、リターンする。取り忘れがあれば（ステップＳ６１でＹＥＳ）、ステップＳ６２で、生体情報の測定中でないかどうかを判断する。
【００９０】
測定中でなければ（ステップＳ６２でＹＥＳ）、ステップＳ６３で、原稿または用紙を取り忘れていることの警告を行う。測定中であれば（ステップＳ６２でＮＯ）、ステップＳ６４で測定終了かどうかを調べる。測定終了でなければ（ステップＳ６４でＮＯ）、測定終了まで待つ。測定が終了すると（ステップＳ６４でＹＥＳ）、ステップＳ６３で、原稿または用紙を取り忘れていることの警告を行う。
【００９１】
このように、原稿や用紙の取り忘れがあった場合、生体情報の測定中のユーザーが存在するときは、測定終了後に、原稿及や用紙の取り忘れが通知されるから、生体情報の測定途中に原稿や用紙の取り忘れが通知されて、測定中のユーザーが手を離してしまうことによる測定の中断を防止できる。
【００９２】
図１１は、図３のフローチャートにおけるステップＳ７のＦＡＸ音処理の内容を示すフローチャートである。
【００９３】
ステップＳ７１では生体情報の測定中でないかどうかを調べ、測定中でなければ（ステップＳ７１でＹＥＳ）、ステップＳ７２で、ＦＡＸ装置１９０においてＦＡＸ送受信音が鳴るのを許可した後、リターンする。測定中であれば（ステップＳ７１でＮＯ）、ステップＳ７３でＦＡＸ送受信音が鳴るのを禁止した後、リターンする。
【００９４】
このように、生体情報の測定中のユーザーが存在する場合、ＦＡＸ装置１９０の通信音を鳴らさないように設定されているから、生体情報の測定途中にＦＡＸ装置の通信音によって、生体情報の測定中のユーザーが手を離してしまうことによる測定の中断を防止できる。
【符号の説明】
【００９５】
１      画像形成装置
２      画像形成装置本体
２１    排紙部
２２    原稿載置部
４      生体情報測定機
４１    検出器
４１ａ、４１ｂ  把持部
４２    表示部
１００  制御部
１０１  ＣＰＵ
１０２  ＲＯＭ
１０３  ＲＡＭ
１１０  記憶装置
１２０  画像読取装置
１３０  操作パネル
１３４  表示部
１４０  画像出力装置
１７０  無線通信インターフェース
１８０  認証部
１９０  ファクシミリ装置
【図１】
2020031314.tif 000003
【図２】
2020031314.tif 000004
【図３】
2020031314.tif 000005
【図４】
2020031314.tif 000006
【図５】
2020031314.tif 000007
【図６】
2020031314.tif 000008
【図７】
2020031314.tif 000009
【図８】
2020031314.tif 000010
【図９】
2020031314.tif 000011
【図１０】
2020031314.tif 000012
【図１１】
2020031314.tif 000013